(57)【要約】      （修正有）【課題】シェードを容易に交換することで、気分に応じて雰囲気を変えたり、メンテナンス費用を抑えたりできる照明装置を提供する。【解決手段】照明装置１は、ランプ２を支持する脚部３と、ランプ３の側周を覆うシェード３０と、シェード３０の折り代（上端縁）３２を挟持するシェード支持部５と、脚部３に立設してシェード支持部５を支持する支柱６と、を備える。シェード支持部５は、シェード３０の上面を覆う第一支持板１０と、シェード３０の内部に配置されて、第一支持板１０に重畳する第二支持板２０と、を備える。【選択図】図２
0003207281.tif 000002
【実用新案登録請求の範囲】
【請求項１】
ランプを支持する脚部と、
前記ランプの側周を覆うシェードと、
前記シェードの上端縁を挟持するシェード支持部と、
前記脚部に立設して前記シェード支持部を支持する支柱と、
を備えることを特徴とする照明装置。
【請求項２】
前記シェード支持部は、
前記シェードの上面を覆う第一支持板と、
前記シェードの内部に配置されて、前記第一支持板に重畳する第二支持板と、
を備えることを特徴とする請求項１に記載の照明装置。
【請求項３】
前記第一支持板と前記第二支持板を密着固定させる固定部を備えることを特徴とする請求項２に記載の照明装置。
【考案の詳細な説明】
【技術分野】
【０００１】
本考案は、シェードを容易に交換できる照明装置に関する。
【背景技術】
【０００２】
各種の照明装置は、ランプ等の光源をシェードで覆って、光の照度等を調整している。
行燈や提灯も、光源をシェードで覆っている。
【０００３】
特許文献１には、装飾用照明装置が開示されている。この装飾用照明装置は、凹凸基材を透光性シートで挟み込んで圧着させたシェードを用いている。
【先行技術文献】
【特許文献】
【０００４】
【特許文献１】特開２００９−５９５５３号公報
【考案の概要】
【考案が解決しようとする課題】
【０００５】
特許文献１に記載される様に、照明装置では、シェードの素材や色、形態等を工夫することにより、独特の風情ある雰囲気を醸し出すことができる。
しかし、照明装置のシェードを交換することが困難であるため、気分に応じて雰囲気を変えることができないという問題がある。
また、シェードが劣化等した場合においても、シェードを交換することが困難であるため、メンテナンス費用がかさんでしまうという問題がある。
【０００６】
本考案は、このような事情に鑑みてなされたものであって、シェードを容易に交換することで、気分に応じて雰囲気を変えたり、メンテナンス費用を抑えたりできる照明装置を提供することを目的としている。
【課題を解決するための手段】
【０００７】
このような課題を解決して、前記目的を達成するために、本考案は以下の手段を提案している。
本考案の照明装置の第一実施態様は、ランプを支持する脚部と、前記ランプの側周を覆うシェードと、前記シェードの上端縁を挟持するシェード支持部と、前記脚部に立設して前記シェード支持部を支持する支柱と、を備えることを特徴とする。
【０００８】
本考案の照明装置の第二実施態様は、第一実施態様において、前記シェード支持部は、前記シェードの上面を覆う第一支持板と、前記シェードの内部に配置されて、前記第一支持板に重畳する第二支持板と、を備えることを特徴とする。
【０００９】
本考案の照明装置の第三実施態様は、第一または第二実施態様において、前記第一支持板と前記第二支持板を密着固定させる固定部を備えることを特徴とする。
【考案の効果】
【００１０】
本考案の照明装置は、シェードを容易に交換できるので、気分に応じて雰囲気を変えたり、メンテナンス費用を抑えたりできる。
【図面の簡単な説明】
【００１１】
【図１】照明装置１を示す斜視図である。
【図２】照明装置１を示す分解斜視図である。
【図３】照明装置１を示す分解側面図である。
【図４】（ａ）第一支持板１０の下面図、（ｂ）シェード３０の上面図、（ｃ）第二支持板２０の上面図、（ｄ）脚部３の上面図である。
【考案を実施するための形態】
【００１２】
本発明の実施形態につき図面を参照して説明する。
照明装置１は、ランプ２、ランプ２を支持する脚部３、ランプ２の側方の周囲を覆うシェード３０等を備える。
【００１３】
ランプ２は、例えば白熱灯であり、脚部３の上面に配置される。
脚部３は、略Ｍ字形に形成された一対の木材からなり、この一対の木材をＸ字状に組み合わせたものである。
【００１４】
シェード３０は、例えば和紙からなり、上下方向に延びる角管形に形成される。シェード３０は、ポリエステル等からなる場合であってもよい。
シェード３０には、上端を全周に亘って内側に折り返した折り代３２が設けられる。
これにより、シェード３０の上面（折り代３２の内側）には、外周よりも小さな四角形の開口３１が形成される。
一方、シェード３０の下端は、折り返されることなく、外周と同形の開口が形成される。
【００１５】
照明装置１は、シェード３０を支持するシェード支持部５と、このシェード支持部５を脚部３に連結する支柱６を備える。
シェード支持部５は、一対の木材からなる平板（第一支持板１０、第二支持板２０）を備える。そして、この第一支持板１０と第二支持板２０により、シェード３０の上端に設けられた折り代３２を挟持する。
第一支持板１０と第二支持板２０は、シェード３０の上面とほぼ同一形状（四角形）を有し、第一支持板１０がシェード３０の上面に、第二支持板２０がシェード３０の内部（上面裏側）に密着配置される。
そして、第一支持板１０と第二支持板２０の間にシェード３０の折り代３２を挿入して、第一支持板１０と第二支持板２０を重ね合わせる。これにより、シェード支持部５は、折り代３２を挟持して、シェード３０を支持する。
【００１６】
第一支持板１０と第二支持板２０は、互いに密着固定するための固定部１５，２５を備える。
第一支持板１０は、中央に円形の開口１１が形成され、この開口１１の外周側に固定部１５が設けられる。固定部１５は、凸部１６とマグネット１７からなる
凸部１６は、シェード３０の開口３１とほぼ同一形状の部位であり、下方に向けて突出する。
マグネット１７は、例えばネオジウム磁石であり、凸部１６の外周側に均等間隔に埋め込まれる。
【００１７】
第二支持板２０は、四角形の枠形に形成されて、この枠形の部分に固定部２５が設けられる。固定部２５は、凹部２６とマグネット２７からなる
凹部２６は、第二支持板２０の開口であり、シェード３０の開口３１とほぼ同一形状を有する。そして、この凹部２６には、第一支持板１０の凸部１６が嵌まり込む。
マグネット２７は、例えばネオジウム磁石であり、凹部２６の外周側に均等間隔に埋め込まれる。このマグネット２７は、マグネット１７に対応する位置に配置される。
【００１８】
支柱６は直径が約５ｍｍ程度の金属棒であり、４本の支柱６でシェード支持部５と脚部３を連結する。
支柱６は、脚部３の上面に設けられた４つの支柱挿入穴４に挿入して固定される。４つの支柱挿入穴４は、ランプ２を取り囲む位置に配置される。
また、支柱６は、第一支持板１０の下面に設けられた８つの支柱挿入穴１２に挿入して固定される。４つの支柱挿入穴１２は、開口１１を取り囲むように配置される。
【００１９】
支柱６は、その両端が支柱挿入穴４と支柱挿入穴１２にそれぞれ挿入される。これにより、支柱６は、脚部３に立設して、シェード支持部５を下方から支持する。したがって、ランプ２の側周がシェード３０により覆われる。
そして、支柱挿入穴１２が８つ設けられているため、シェード支持部５を４５°回転させて、シェード３０を支持することができる。
【００２０】
照明装置１の組立手順はについて説明する。
まず、シェード３０を角管形にして、上端の折り代３２を内側に折り曲げる。
【００２１】
次に、シェード３０の内部に第二支持板２０を挿入して、折り代３２に密着する。そして、第二支持板２０に対して第一支持板１０を重ね合わせる。これにより、第一支持板１０と第二支持板２０により折り代３２が挟持される。
このとき、第一支持板１０と第二支持板２０は、固定部１５，２５を備えるので、容易に密着固定される。すなわち、凸部１６が凹部２６に嵌合し、さらにマグネット１７，２７が吸着する。したがって、シェード３０がシェード支持部５により支持される。
【００２２】
次いで、脚部３を組み立てて、ランプ２を固定する。
そして、脚部３の支柱挿入穴４に、それぞれ支柱６を挿入して、支柱６を立設させる。
最後に、シェード３０をランプ２に覆い被せて、シェード支持部５を支柱６に連結する。つまり、支柱挿入穴１２に４本の支柱６を挿入して、支柱６によりシェード支持部５を下方から支持する。
【００２３】
なお、照明装置１を分解するときは、組立手順の逆の手順を行う。
【００２４】
以上、説明したように、照明装置１は、ランプ２を支持する脚部３と、ランプ３の側周を覆うシェード３０と、シェード３０の折り代（上端縁）３２を挟持するシェード支持部５と、脚部３に立設してシェード支持部５を支持する支柱６と、を備える。
したがって、シェード３０を容易に交換できるので、気分に応じて雰囲気を変えたり、メンテナンス費用を抑えたりできる。
【００２５】
特に、シェード支持部５は、シェード３０の上面を覆う第一支持板１０と、シェード３０の内部に配置されて、第一支持板１０に重畳する第二支持板２０を備えるので、シェード３０を容易に支持することができる。
【００２６】
また、第一支持板１０と第二支持板２０を密着固定させる固定部１５，２５を備えるので、組立と分解が容易になる。
【００２７】
本考案の技術範囲は、上述した実施形態に限定されるものではない。本考案の趣旨を逸脱しない範囲において、上述した実施形態に種々の変更を加えたものを含む。実施形態で挙げた具体的な材料や層構成などはほんの一例に過ぎず、適宜変更が可能である。
【００２８】
例えば、第一支持板１０と第二支持板２０を密着固定させる固定具１５，２５は、マグネット１７，２７を用いる場合に限らない。マグネット１７，２７に代えて、ネジとナット（ネジ穴）を用いてもよい。
【００２９】
例えば、シェード３０は、角管形の場合に限らない。シェード３０は、円管形であってもよい。この場合は、第一支持板１０と第二支持板２０は、円板形に形成される。
【００３０】
脚部３、第一支持板１０、第二支持板２０は、木材により形成される場合に限らない。また、支柱６は、金属により形成される場合に限らない。さらに、シェード３０は、和紙やポリエステルにより形成される場合に限らない。
これらの部材の材質や形状は、任意に変更することができる。
【００３１】
ランプ２は、白熱灯に限らず、ロウソク等であってよい。
【符号の説明】
【００３２】
１  照明装置
２  ランプ
３  脚部
４  支柱挿入穴
５  シェード支持部
６  支柱
１０  第一支持板
１１  開口
１２  支柱挿入穴
１５  固定部
１６  凸部
１７  マグネット
２０  第二支持板
２５  固定部
２６  凹部
２７  マグネット
３０  シェード
３１  開口
３２  折り代
【図１】
0003207281.tif 000003
【図２】
0003207281.tif 000004
【図３】
0003207281.tif 000005
【図４】
0003207281.tif 000006